(57)【特許請求の範囲】
【請求項１】
復調後のデジタル放送信号を分離・分割してデコーダ側に出力するトランスポート部と、当該デジタル放送信号に含まれるパケットＩＤがトランスポート部から入力されており当該パケットＩＤに基づいてＨＤ放送等の１チャンネル放送であるかＳＤ放送等の多チャンネル放送であるかを検出する放送検出部と、サブチャンネルを設定入力する設定部と、設定部を通じて設定されたサブチャンネルを保持する記録部と、放送検出部の検出結果が多チャンネル放送を示すときには記録部に保持されたサブチャンネルに対応するパケットＩＤの放送信号が出力されるようにトランスポート部を制御するサブチャンネル制御部とを具備したことを特徴とするデジタル放送受信機。
【請求項２】
サブチャンネル制御部は、放送検出部の検出結果が多チャンネル放送を示すときには記録部に保持されたサブチャンネルに対応するパケットＩＤの放送信号が出力されるようにトランスポート部を制御し、その後、受信機本体又はリモコンに備えられたサブチャンネル選局キー又はチャンネルアップ／ダウンキーが押されると、選局されたサブチャンネルに対応するパケットＩＤの放送信号が出力されるようにトランスポート部を制御する構成となっていることを特徴とする請求項２記載のデジタル放送受信機。
【請求項３】
サブチャンネル制御部は、放送検出部が１チャンネル放送から多チャンネル放送に切り替わったことを示したときには、トランスポート部から出力される放送信号のサブチャンネルをＯＳＤ表示させる構成となっていることを特徴とする請求項１又は２記載のデジタル放送受信機。
【請求項４】
復調後のデジタル放送信号を分離・分割してデコーダ側に向けて出力するトランスポート部と、サブチャンネルを設定入力する設定部と、設定部を通じて設定されたサブチャンネルを保持する記録部と、放送画面に重畳してＯＳＤ表示を行わせるＯＳＤ表示制御部とを制御する方法であって、デジタル放送信号に含まれるパケットＩＤのデータをトランスポート部から入力し、当該データに基づいてＨＤ放送等の１チャンネル放送であるかＳＤ放送等の多チャンネル放送であるかを判定し、多チャンネル放送であると判定したときは、トランスポート部に命令を与えて記録部に保持されたサブチャンネルに対応するパケットＩＤの放送信号を出力させた後、ＯＳＤ表示制御部に命令を与えて当該サブチャンネルをＯＳＤ表示させるようにしたことを特徴とするデジタル放送受信機の制御方法。
【発明の詳細な説明】
【発明が属する技術分野】
【０００１】
本発明は地上波等のデジタル放送受信機に利用されるものであって、ＨＤ放送（ハイディフィニション：ハイビジョン放送）やＳＤ放送（スタンダードディフィニション：標準放送）等を受信可能なデジタル放送受信機及びその制御方法に関する。
【０００２】
【従来の技術】
テレビ放送がアナログからデジタルに移行するに伴って、放送の種類も多様化し、１チャンネル分の帯域を利用したＨＤ放送や１チャンネル分の帯域を数チャンネルに分けて利用したＳＤ放送等が随時放送される。ＨＤ放送が終了して同一チャンネルのＳＤ放送に切り替わったときには、ユーザとしては当然にＳＤ放送のサブチャンネルを選択することが必要になる。
【０００３】
この選択方法として、ディスプレイ画面を複数のウインドゥに分割し、これにＳＤ放送の各サブチャンネルを同時に表示させ、この中から１つのサブチャンネルを選択するという提案がなされている（特開平9-326972号公報等）。
【０００４】
【発明が解決しようとする課題】
しかしながら、上記従来例による場合、ＨＤ放送が終了すると、画面の表示形式が急に変化してウインドゥの分割画面が表示され、ＳＤ放送の各サブチャンネルが静止画でしか表示されないことから、ユーザに違和感を与えることになる。また、ＨＤ放送の中でもユーザの好みのあったサブチャンネルがある筈で、ＳＤ放送に切り替わる度にウインドゥの分割画面が表示され、その都度、サブチャンネルを選択しなければならないというのも使い勝手が悪いと言える。
【０００５】
本発明は上記した背景の下で創作されたものであって、その目的とするところは、ＨＤ放送等の１チャンネル放送からＳＤ放送等の多チャンネル放送に切り替わっても、ユーザに違和感を与えず、しかもサブチャンネルを選択する上での使い勝手が良好となるように改良したデジタル放送受信機及びその制御方法を提供することにある。
【０００６】
【課題を解決するための手段】
本発明のデジタル放送受信機は、復調後のデジタル放送信号を分離・分割してデコーダ側に出力するトランスポート部と、当該デジタル放送信号に含まれるパケットＩＤがトランスポート部から入力されており当該パケットＩＤに基づいてＨＤ放送等の１チャンネル放送であるかＳＤ放送等の多チャンネル放送であるかを検出する放送検出部と、サブチャンネルを設定入力する設定部と、設定部を通じて設定されたサブチャンネルを保持する記録部と、放送検出部の検出結果が多チャンネル放送を示すときには記録部に保持されたサブチャンネルに対応するパケットＩＤの放送信号が出力されるようにトランスポート部を制御するサブチャンネル制御部とを備えた構成にしている。
【０００７】
このような構成による場合、１チャンネル放送が終了して多チャンネル放送に切り替わると、所定のサブチャンネルが即座に表示出力される。必要であればサブチャンネルの選択はその後に行えば良い。
【０００８】
また、サブチャンネルが設定された後、１チャンネル放送が終了して多チャンネル放送に切り替わると、設定入力されたサブチャンネルが即座に表示出力される。
【０００９】
より好ましくは、サブチャンネル制御部は、放送検出部の検出結果が多チャンネル放送を示すときには記録部に保持されたサブチャンネルに対応するパケットＩＤの放送信号が出力されるようにトランスポート部を制御し、その後、受信機本体又はリモコンに備えられたサブチャンネル選局キー又はチャンネルアップ／ダウンキーが押されると、選局されたサブチャンネルに対応するパケットＩＤの放送信号が出力されるようにトランスポート部を制御する構成にすることが望ましい。
【００１０】
このような構成による場合、１チャンネル放送が終了して多チャンネル放送に切り替わると、設定入力されたサブチャンネルが即座に表示出力されるが、その後、サブチャンネル選択キー又はチャンネルアップ／ダウンキーが押されると、選択されたサブチャンネルが表示出力される。
【００１１】
より好ましくは、サブチャンネル制御部は、放送検出部が１チャンネル放送から多チャンネル放送に切り替わったことを示したときには、トランスポート部から出力される放送信号のサブチャンネルをＯＳＤ表示させる構成とすることが望ましい。
【００１２】
このような構成による場合、現在表示出力されている多チャンネル放送のサブチャンネルがＯＳＤ表示される。
【００１３】
本発明のデジタル放送受信機の制御方法は、復調後のデジタル放送信号を分離・分割してデコーダ側に向けて出力するトランスポート部と、サブチャンネルを設定入力する設定部と、設定部を通じて設定されたサブチャンネルを保持する記録部と、放送画面に重畳してＯＳＤ表示を行わせるＯＳＤ表示制御部とを制御する方法であって、デジタル放送信号に含まれるパケットＩＤのデータをトランスポート部から入力し、当該データに基づいてＨＤ放送等の１チャンネル放送であるかＳＤ放送等の多チャンネル放送であるかを判定し、多チャンネル放送であると判定したときは、トランスポート部に命令を与えて記録部に保持されたサブチャンネルに対応するパケットＩＤの放送信号を出力させた後、ＯＳＤ表示制御部に命令を与えて当該サブチャンネルをＯＳＤ表示させるようにしている。
【００１４】
【発明の実施の形態】
以下、本発明の実施の形態を図面を参照して説明する。図１はデジタル放送受信機の構成図、図２は同受信機のＭＰＵにて処理されるプログラムのフローチャートである。
【００１５】
ここに掲げるデジタル放送受信機は地上波等のＨＤ放送、ＳＤ放送を受信してその放送内容を表示出力するテレビジョン受像機であり、図１に示すような回路構成となっている。
【００１６】
１０はデジタル放送信号を選局受信するチューナ部、２０はチューナ部１０の出力信号を復調する復調部、３０は復調部２０の出力信号からビデオ信号、オーディオ信号等を分離・分割するトランスポート部である。
【００１７】
トランスポート部３０から出力されたビデオ信号はデコーダー４０、ＯＳＤ表示制御部１１０を介してディスプレイ５０に出力される。ＯＳＤ（On Screen Display)表示制御部１１０は、ディスプレイ５０に表示出力される放送画面に重畳してチャンネル等のデータを表示出力させる回路であり、ここでは汎用のＩＣが使用されている。一方、トランスポート部３０から出力されたオーディオ信号はデコーダー６０を介してスピーカー７０に出力される。
【００１８】
トランスポート部３０は、復調後のデジタル放送信号を分離・分割する回路であることは上記したが、その過程でデジタル放送信号に含まれるパケットＩＤ（ＰＩＤ）のデータを出力する機能が含まれている。また、如何なるパケットＩＤのデジタル放送信号（ビデオ信号、オーディオ信号等）を出力するかは、外部入力に従って制御される機能も含まれている。
【００１９】
８０は受信機全体を制御するＭＰＵであり、チューナ部１０、トランスポート３０及びデコーダ４０、６０等を制御するようになっている。ＭＰＵ８０の入力ポートには、受信機全体を遠隔操作するためのリモコン９０からの信号を受信するリモコンセンサ９１及びリモコン９０と同様の働きを行う操作部９２が接続されている。
【００２０】
リモコン９０には電源スイッチ９０１、モード切り替えキー９０２、通常のチャンネル選局を行うためのチャンネル選局キー９０３、チャンネルアップ／ダウンキー９０４等が備えられているが、ＳＤ放送の選局を行うためのサブチャンネル選局キー９０５が新たに追加されている。なお、操作部９２にも同様のキーが備えられている。
【００２１】
サブチャンネル選局キー９０５は、ＨＤ放送が終了してＳＤ放送に切り替わったときに最初に表示出力すべきサブチャンネルを設定入力するためのキー（設定部に相当する）も兼ねている。
【００２２】
ＭＰＵ１０は、外部メモリ１００に予め記録されたプログラムを逐次処理することにより、放送検出部８１、サブチャンネル制御部８２及び記憶部８３としての機能を発揮するようになっている。
【００２３】
記憶部８３としての機能を発揮するためのプログラムは、モード切り替えキー９０２が押されて、サブチャンネル設定モードに切り替えられると処理され、サブチャンネル選局キー９０５を通じてサブチャンネルが設定入力されると、このデータをＭＰＵ１０内にＲＡＭ等に保持させるような内容となっている。この設定入力はＳＤ放送毎にユーザにより行われる。
【００２４】
放送検出部８１は、トランスポート部３０から出力されたパケットＩＤのデータに基づいてデジタル放送信号がＨＤ放送であるかＳＤ放送であるかを検出するようになっている。
【００２５】
サブチャンネル制御部８２は、放送検出部８１の検出結果がＳＤ放送を示すときには、記録部８３に保持されたサブチャンネルに対応するパケットＩＤのデジタル放送信号が出力されるようにトランスポート部３０を制御し、トランスポート部３０から出力されるデジタル放送信号のサブチャンネルのデータが表示出力されるようにＯＳＤ表示制御部１１０を制御するようになっている。
【００２６】
なお、外部メモリ１００等には、ＳＤ放送に含まれる全サブチャンネルとパケットＩＤとの関係がＳＤ放送毎にテーブル化されており、ＭＰＵ８０はこのテーブルを参照することにより、サブチャンネル選局キー９０５等を通じて設定入力又は選択されたサブチャンネルが如何なるパケットＩＤであるのかが認識できるようになっている。
【００２７】
図２はＭＰＵ１０にて処理されるプログラムの内容の一部を示したもので、放送検出部８１及びサブチャンネル制御部８２としての機能を発揮するためのプログラムも含まれている。以下、このプログラムについて説明し、併せてデジタル放送受信機の動作について説明する。
【００２８】
リモコン９０又は操作部９０を通じて電源がオンにされると、デジタル放送信号がチューナ部１０により選局受信され、選局されたデジタル放送信号が復調部２０を介してトランスポート部３０に順次入力される。なお、チャンネル選局キー９０３が押されると、チューナ部１０に命令を与えて、その受信周波数を変更させる。
【００２９】
すると、ＭＰＵ１０はパケットＩＤのデータをトランスポート部３０から入力し、このデータに基づいて選局受信されたデシタル放送信号がＨＤ放送であるかＳＤ放送であるかを判定する。具体的にはＳ／Ｗ処理により信号判定を行うという方法で放送選別を行う（Ｓ１）。
【００３０】
ＨＤ放送であると判定した場合、トランスポート部３０等に命令を与えて、復調後のデジタル放送信号をビデオ信号とオーディオ信号とに分離・分割させ、当該信号をデコーダー４０、６０にて処理させ（Ｓ２）、ディスプレイ表示させる（Ｓ３）。すると、ディスプレイ５０にＨＤ放送が表示出力され、スピーカー７０からその音声が出力される。なお、ＨＤ放送の画面に必要に応じてそのチャンネルのデータのＯＳＤ表示が行われるのは従来と同様である。
【００３１】
一方、ＳＤ放送であると判定した場合、そのサブチャンネルの数を確認する。即ち、トランスポート部３０から入力されたＩＤデータが１であるときには、サブチャンネルが１であると判定する一方、１より大きいときにはサブチャンネルが複数であると判定する（Ｓ４）。この確認が必要となるのは、１チャンネル分の帯域を数チャンネルに分けて利用された多チャンネル放送であっても、実際には１チャンネルしか放映されていないことがあり得るからである。
【００３２】
選局受信されたＳＤ放送のサブチャンネルが１である場合、サブチャンネルを選択することが必要でないことから、トランスポート部３０等に命令を与えて、復調後のデジタル放送信号をビデオ信号とオーディオ信号とに分離・分割させた上で、当該信号をデコーダー４０、６０にて処理させ（Ｓ２）、ディスプレイ表示させる（Ｓ３）。すると、ディスプレイ５０にＳＤ放送のサブチャンネルが表示出力され、スピーカー７０からその音声が出力される。なお、ＨＤ放送の場合と同様に、ＳＤ放送の画面にそのサブチャンネルのデータのＯＳＤ表示が必要に応じて行われる。
【００３３】
一方、選局受信されたＳＤ放送のサブチャンネルが１より大きい場合、記憶部８３に保持されたサブチャンネルのデータを読み出し、その有無によりサブチャンネルが設定入力されているか否かを判定する（Ｓ５）。
【００３４】
サブチャンネルが設定入力されている場合、即ち、記憶部８３にサブチャンネルのデータが保持されている場合、このサブチャンネルに対応するパケットＩＤのデジタル放送信号が出力されるようにトランスポート部３０に命令を与えて制御する（Ｓ６）。すると、トランスポート部３０により、復調後のデジタル放送信号がビデオ信号とオーディオ信号とに分離・分割され、デコーダー４０、６０に出力される。
【００３５】
次いで、外部メモリ１００に予め記録された有料放送チャンネルの情報を参照して、このサブチャンネルが有料放送であるか否かを判定する（Ｓ７）。
【００３６】
設定入力されたサブチャンネルが有料放送でないときは、当該サブチャンネルのデータのＯＳＤ表示を行うためにＯＳＤ表示制御部１１０に命令を与え（Ｓ８）、トランスポート部３０から出力されたビデオ信号とオーディオ信号をデコーダー４０、６０にて処理させ（Ｓ２）、ディスプレイ表示させる（Ｓ３）。
【００３７】
すると、ディスプレイ５０にＳＤ放送のうちで設定されたサブチャンネルが表示出力され、スピーカー７０からその音声が出力される。その表示画面には所定時間だけサブチャンネルのデータが表示出力される。
【００３８】
一方、設定入力されたサブチャンネルが有料放送であるときには、当該サブチャンネルのデータのＯＳＤ表示を行うためにＯＳＤ表示制御部１１０に命令を与え（Ｓ９）、当該有料放送を見るのに必要な図外のスクランブル装置が接続されているか否かをＩ／Ｏデータ送受信の可不可により確認する（Ｓ１０）。
【００３９】
図外のスクランブル装置が接続されているときには、デジタル放送信号のスクランブルを解除させるためにスクランブル装置を作動させ（Ｓ１１）、当該信号をデコーダー４０、６０にて処理させ（Ｓ２）、ディスプレイ表示させる（Ｓ３）。すると、ディスプレイ５０にその有料放送が表示出力され、スピーカー７０からその音声が出力される。放送画面にはそのサブチャンネルのデータのＯＳＤ
表示が所定時間だけ行われる。
【００４０】
サブチャンネルが未だ設定入力されていない場合、即ち、記憶部８３にサブチャンネルのデータが保持されていない場合、サブチャンネル選局キー９０５のデータを入力待ちとなり、サブチャンネル選局キー９０５又はチャンネルアップ／ダウンキー９０４を通じてサブチャンネルが選択されると、選択されたサブチャンネルに対応するパケットＩＤのデジタル放送信号が出力されるようにトランスポート部３０に命令を与えて制御し（Ｓ１２）、当該サブチャンネルのデータのＯＳＤ表示を行うためにＯＳＤ表示制御部１１０に命令を与え（Ｓ１３）、トランスポート部３０から出力されたビデオ信号とオーディオ信号をデコーダー４０、６０にて処理させ（Ｓ２）、ディスプレイ表示させる（Ｓ３）。
【００４１】
なお、有料放送のサブチャンネルが設定入力されているものの、図外のスクランブル装置が接続されていない場合も同様の処理となる。
【００４２】
すると、ディスプレイ５０にＳＤ放送のうちで選択されたサブチャンネルが表示出力され、スピーカー７０からその音声が出力される。その表示画面には所定時間だけサブチャンネルのデータがＯＳＤ表示される。ただ、有料放送が選択されても、デジタル放送信号がスクランブル処理されない以上、その放送を見ることはできず、選択されたサブチャンネルのデータがＯＳＤ表示されるだけである。
【００４３】
このような本案のデジタル放送受信機による場合、ＨＤ放送からＳＤ放送に切り替わると、ユーザにより設定入力されたサブチャンネルが即座に表示出力され、そのサブチャンネルがＯＳＤ表示される。ユーザの好みに合ったサブチャンネルを最初に表示出力させることが可能であるので、非常に便利である。また、その後も、通常の選局と同様の感覚で、サブチャンネル選局キー９０５又はチャンネルアップ／ダウンキー９０４を通じてサブチャンネルの選択を容易に行うことができる。
【００４４】
なお、本発明に係るデジタル放送受信機はテレビジョン受像機だけの適用に止まらず、１チャンネル分の帯域を利用した１チャンネル放送と、１チャンネル分の帯域を数チャンネルに分けて利用した多チャンネル放送との双方が受信可能である限り、ビテオ装置等にも当然に適用可能である。
【００４５】
１チャンネル放送から多チャンネル放送に切り替わった際に最初に表示出力すべきサブチャンネルをユーザにより設定入力するのではなく、受信機内部において予め設定されたサブチャンネルを最初に表示出力する形態をとっても良い。
【００４６】
また、放送検出部及びサブチャンネル制御部としての機能をハードウエアにより実現するような形態もとってもかまわない。
【００４７】
【発明の効果】
以上、本発明の請求項１に係るデジタル放送受信機による場合、ＨＤ放送等の１チャンネル放送が終了してＳＤ放送等の多チャンネル放送に切り替わると、所定のサブチャンネルが即座に表示出力される構成となっているので、従来例による場合とは異なり、表示形式が変わらず、ユーザに対して違和感を与えることがない。また、スムーズに多チャンネル放送のサブチャンネルの選択を行うことができ、使い勝手が良好になる。
【００４８】
また、１チャンネル放送が終了して多チャンネル放送に切り替わると、ユーザにより設定入力されたサブチャンネルが即座に表示出力される構成となっているので、ユーザの好みに合ったサブチャンネルを最初に表示出力され、非常に便利であり、使い勝手が良好になる。
【００４９】
本発明の請求項２に係るデジタル放送受信機による場合、１チャンネル放送が終了して多チャンネル放送に切り替わると、設定入力されたサブチャンネルが即座に表示出力されるが、その後、サブチャンネル選択キー又はチャンネルアップ／ダウンキーが押されると、選択されたサブチャンネルが表示出力される構成となっているので、通常の選局と同様の感覚で、サブチャンネルの選局を行うことができ、使い勝手が良好になる。
【００５０】
本発明の請求項３に係るデジタル放送受信機による場合、現在表示出力されている多チャンネル放送のサブチャンネルがＯＳＤ表示される構成となっているので、サブチャンネルの選択する上での使い勝手が一層良好になる。
【００５１】
本発明の請求項４に係るデジタル放送受信機の制御方法による場合、１チャンネル放送が終了して多チャンネル放送に移行すると、所定のサブチャンネルが即座に表示出力され、現在表示出力されている多チャンネル放送のサブチャンネルがＯＳＤ表示される構成となっているので、請求項３の場合と同様の効果が得られる。
【図面の簡単な説明】
【図１】  本発明の実施の形態を説明するための図であって、デジタル放送受信機の構成図である。
【図２】  同デジタル放送受信機のＭＰＵにて処理されるプログラムのフローチャートである。
【符号の説明】
１０  チューナ部
２０  復調部
３０  トランスポート部
４０，６０  デコーダー
８０  ＭＰＵ
８１  放送検出部
８２  サブチャンネル制御部
８３  記憶部
１１０  ＯＳＤ表示制御部
９０  リモコン
９０３  チャンネル選局キー
９０４  チャンネルアップ／ダウンキー
９０５  サブチャンネル選局キー
【図１】
0004066212.tif 000002
【図２】
0004066212.tif 000003